(57)【要約】【課題】極低温の環境下における動作開始時に圧縮機に潤滑不良が生じる事態を好適に回避する。【解決手段】制御部が、温度調整装置の運転開始時に、圧縮機の動作を開始させ（ステップ２２ａ）、かつ開閉弁を閉塞制御すると共に（ステップ２３ａ）、圧縮機の動作を開始させてから予め規定された待機時間が経過したときに（ステップ２４ａ）予め規定された第１の低温時処理開始条件が満たされているか否かを判別し（ステップ２６ａ）、第１の低温時処理開始条件が満たされているときに、開閉弁を開口制御して圧縮機から吐出された冷媒を、バイパス配管を介して蒸発器に流入させる第１の低温時処理を実行する（ステップ２７ａ）。【選択図】図２
2015129598.tif 000002
【特許請求の範囲】
【請求項１】
供給対象に供給する熱媒液の通過が可能に構成されて当該熱媒液の温度を調整する温度調整器と、
圧縮機、凝縮器、膨張弁および蒸発器を有して当該蒸発器が前記温度調整器内に構成された冷凍サイクルと、
前記冷凍サイクルの動作を制御する制御部とを備え、
前記制御部が前記圧縮機を動作させることで前記凝縮器において凝縮された冷媒が前記膨張弁を通過して前記温度調整器内の前記蒸発器に吐出され、当該蒸発器内の冷媒と当該温度調整器内の前記熱媒液との熱交換によって当該熱媒液の温度が調整される温度調整装置であって、
前記冷凍サイクルは、前記圧縮機から吐出された前記冷媒を、前記凝縮器および前記膨張弁を通過させずに前記蒸発器に流入させるバイパス配管と、前記制御部の制御に従って前記バイパス配管を開閉する開閉弁とを備え、
前記制御部は、当該温度調整装置の運転開始時に、前記圧縮機の動作を開始させ、かつ前記開閉弁を閉塞制御すると共に、当該圧縮機の動作を開始させてから予め規定された待機時間が経過したときに予め規定された第１の低温時処理開始条件が満たされているか否かを判別し、前記第１の低温時処理開始条件が満たされているときに、前記開閉弁を開口制御して前記圧縮機から吐出された前記冷媒を前記蒸発器に流入させる第１の低温時処理を実行する温度調整装置。
【請求項２】
前記圧縮機に吸入される前記冷媒の温度を特定可能な温度センサを備え、
前記制御部は、前記温度センサからのセンサ信号に基づいて特定した前記冷媒の温度が予め規定された温度を下回っているときに前記第１の低温時処理開始条件が満たされていると判別する請求項１記載の温度調整装置。
【請求項３】
前記冷凍サイクルは、圧縮能力可変型の前記圧縮機を備えて構成され、
前記制御部は、当該温度調整装置の運転開始時に、前記圧縮機を予め規定された第１の圧縮能力で動作させると共に、前記待機時間が経過したときに、前記圧縮機を前記第１の圧縮能力よりも高い第２の圧縮能力で動作させる請求項１または２記載の温度調整装置。
【請求項４】
前記冷凍サイクルは、前記制御部の制御に従って前記凝縮器を冷却する送風機を備え、
前記制御部は、当該温度調整装置の運転開始時に、前記送風機を予め規定された第１の回転数で動作させると共に、予め規定された第２の低温時処理開始条件が満たされているか否かを判別し、前記第２の低温時処理開始条件が満たされているときに、前記送風機の回転数を前記第１の回転数よりも低い第２の回転数に低下させる第２の低温時処理を実行する請求項１から３のいずれかに記載の温度調整装置。
【請求項５】
前記圧縮機に吸入される前記冷媒の吸入圧力を特定可能な第１の圧力センサ、および前記圧縮機から吐出された前記冷媒の吐出圧力を特定可能な第２の圧力センサとを備え、
前記制御部は、前記第１の圧力センサからのセンサ信号に基づいて特定した前記吸入圧力と前記第２の圧力センサからのセンサ信号に基づいて特定した前記吐出圧力との差が予め規定された圧力を下回っているときに前記第２の低温時処理開始条件が満たされていると判別する請求項４記載の温度調整装置。
【発明の詳細な説明】
【技術分野】
【０００１】
本発明は、温度調整器によって温度調整した熱媒液を供給対象に供給して供給対象の温度を調整可能に構成された温度調整装置に関するものである。
【背景技術】
【０００２】
この種の温度調整装置として、出願人は、設定された温度まで冷却した冷却液をレーザ加工機等の被冷却物に供給することで被冷却物を冷却する冷却装置を下記の特許文献１に開示している。この冷却装置は、冷却液を貯液可能に構成されると共に冷却液供給ラインおよび冷却液戻りラインを介して被冷却物に接続された冷却液タンクと、冷却液供給ラインに配設されて冷却液タンクから被冷却物に冷却液を圧送する送液ポンプと、冷却液供給ラインに配設されて冷却水を冷却する熱交換器と、冷却装置を総括的に制御する制御部とを備えて構成されている。この場合、この冷却装置では、蒸発器に相当する要素が熱交換器内に構成されている冷凍サイクルを備え、被冷却物に圧送する冷却水が熱交換器を通過させられる際に冷却される構成が採用されている。
【０００３】
この冷却装置による被冷却物の冷却に際しては、まず、制御部が冷凍サイクルにおける圧縮機の動作を開始させる。この際には、圧縮機によって圧縮された冷媒が凝縮器において凝縮された後に、膨張弁を通過して熱交換器（蒸発器）内に吐出され、熱交換器において冷媒と冷却水とが熱交換させられることによって冷却水が冷却される。この場合、この冷却装置では、インバータユニットからの供給電力によって動作する電動モータを動力源として備えた回転数可変型の圧縮機が採用されており、制御部は、インバータユニットを制御することによって圧縮機（電動モータ）の回転数を任意に調整する。
【０００４】
具体的には、制御部は、圧縮機の動作を開始させてから予め規定された監視時間が経過した時点において、凝縮器によって凝縮された冷媒の温度（凝縮冷媒温度）を検出し、検出した温度が始動時温度監視値以下のときには、圧縮機の回転数を予め設定した初期回転数から順次段階的に増加させる処理を行い、検出した温度が始動時温度監視値よりも高いときには、圧縮機の回転数を運転可能最高回転数に制御する処理を行う。これにより、この冷却装置では、周囲温度が高いことで凝縮器の放熱効率が低くなり、これに起因して冷凍サイクル内の冷媒圧力が上昇するような環境下であっても、冷凍サイクル内の冷媒圧力が規定圧力の上限に達したことを理由として圧縮機が停止する事態を招くことなく、圧縮機による冷媒の圧縮を継続的に実行させて冷却水を継続的に冷却させることが可能となっている。
【０００５】
一方、制御部は、冷凍サイクル（圧縮機等）の制御と並行して送液ポンプを動作させる。この際には、送液ポンプによって冷却液タンクから被冷却物に向かって圧送される冷却液が前述したように熱交換器を通過する際に冷却され、これにより、低温の冷却液が被冷却物に供給されて被冷却物が冷却される。また、被冷却物を冷却することで温度上昇した冷却液は、冷却液戻りラインを介して冷却液タンクに回収される。この場合、制御部は、液温センサからのセンサ信号に基づいて被冷却物に供給されている冷却液の液温を特定し、特定した温度が目標温度となるように、冷凍サイクルの各構成要素をフィードバック制御する。これにより、目標温度範囲内の温度まで冷却した冷却液を被冷却物に対して継続的に供給することが可能となる。
【先行技術文献】
【特許文献】
【０００６】
【特許文献１】特許第４９７６２４０号公報（第４−９頁、第１−８図）
【発明の概要】
【発明が解決しようとする課題】
【０００７】
ところが、出願人が上記の特許文献１に開示している冷却装置には、以下の改善すべき課題が存在する。すなわち、出願人が開示している冷却装置では、周囲温度が高いとき（凝縮器における冷媒の凝縮効率が低下するとき）に冷凍サイクル内の冷媒圧力が上限値に達して圧縮機が停止する事態を回避するために、凝縮冷媒温度が始動時温度監視値以下のときには圧縮機の回転数を段階的に増加させるものの、凝縮冷媒温度が始動時温度監視値よりも高いときには圧縮機を運転可能最高回転数で動作させる構成が採用されている。これにより、出願人が開示している冷却装置では、周囲温度が高くなる夏期等においても冷凍サイクルを好適に機能させて被冷却物を十分に冷却することが可能となっている。
【０００８】
一方、この種の温度調整装置では、周囲温度が高いときだけでなく、周囲温度が低いときにも被冷却物に対して冷却水を供給して冷却する必要が生じることがある。この場合、出願人が開示している上記の冷却装置では、周囲温度が例えば−５℃程度の低温時においても冷凍サイクルを動作させて冷却水を冷却することが可能となっている。しかしながら、出願人は、周囲温度が−５℃を下回る極低温の環境下（例えば、周囲温度が−２０℃程度の環境下）において、以下のような不都合が生じるおそれがあることを見いだした。
【０００９】
例えば、極低温の環境下においては、冷却装置の運転開始時点（冷凍サイクルの全体が極低温となっている状態）において冷媒の多くが凝縮して液化した状態となっている。このため、圧縮機による冷媒の圧縮が開始されて冷凍サイクル内で冷媒が移動させられたときに液状の冷媒が圧縮機に吸入されることがあり、かかる場合には、流入した冷媒によって圧縮機内の潤滑油が洗い流されて潤滑不良（可動部品の摺動抵抗の増大）を招くおそれがある。また、圧縮機内に液状の冷媒が大量に吸引されたときには、この冷媒が潤滑油内に溶け込み、その状態で圧縮機の動作を継続させたときには、フォーミング現象（泡立ち現象）が発生するおそれがあり、これに起因して、圧縮機から潤滑油（潤滑油と液状の冷媒とが混じり合った泡状の混合物）が流出して、好適な潤滑が可能な状態を維持するのが困難となるおそれもある。
【００１０】
したがって、極低温時の運転開始に際しては、冷凍サイクル内の液状の冷媒をできるだけ早く十分に気化させて液状の冷媒の量を減少させ、液状の冷媒が圧縮機に吸引されるのを回避するのが好ましい。しかしながら、出願人が開示している上記の冷却装置のように、周囲温度が高いときにも必要量の冷媒を好適に凝縮させ得る十分な凝縮能力の凝縮器を備えた冷凍サイクルでは、極低温の環境下において動作を開始させたときに、圧縮機から吐出された冷媒が凝縮器において短時間で凝縮されてしまうため、液状の冷媒の量を減少させる（十分な量の冷媒が気化した状態となる）のに長い時間を要することとなる。このため、液状の冷媒が圧縮機に吸引される可能性が高く、潤滑不良を招くおそれがあるため、この点を改善するのが好ましい。
【００１１】
本発明は、かかる改善すべき課題に鑑みてなされたものであり、極低温の環境下における動作開始時に圧縮機に潤滑不良が生じる事態を好適に回避し得る温度調整装置を提供することを主目的とする。
【課題を解決するための手段】
【００１２】
上記目的を達成すべく請求項１記載の温度調整装置は、供給対象に供給する熱媒液の通過が可能に構成されて当該熱媒液の温度を調整する温度調整器と、圧縮機、凝縮器、膨張弁および蒸発器を有して当該蒸発器が前記温度調整器内に構成された冷凍サイクルと、前記冷凍サイクルの動作を制御する制御部とを備え、前記制御部が前記圧縮機を動作させることで前記凝縮器において凝縮された冷媒が前記膨張弁を通過して前記温度調整器内の前記蒸発器に吐出され、当該蒸発器内の冷媒と当該温度調整器内の前記熱媒液との熱交換によって当該熱媒液の温度が調整される温度調整装置であって、前記冷凍サイクルは、前記圧縮機から吐出された前記冷媒を、前記凝縮器および前記膨張弁を通過させずに前記蒸発器に流入させるバイパス配管と、前記制御部の制御に従って前記バイパス配管を開閉する開閉弁とを備え、前記制御部は、当該温度調整装置の運転開始時に、前記圧縮機の動作を開始させ、かつ前記開閉弁を閉塞制御すると共に、当該圧縮機の動作を開始させてから予め規定された待機時間が経過したときに予め規定された第１の低温時処理開始条件が満たされているか否かを判別し、前記第１の低温時処理開始条件が満たされているときに、前記開閉弁を開口制御して前記圧縮機から吐出された前記冷媒を前記蒸発器に流入させる第１の低温時処理を実行する。
【００１３】
また、請求項２記載の温度調整装置は、請求項１記載の温度調整装置において、前記圧縮機に吸入される前記冷媒の温度を特定可能な温度センサを備え、前記制御部は、前記温度センサからのセンサ信号に基づいて特定した前記冷媒の温度が予め規定された温度を下回っているときに前記第１の低温時処理開始条件が満たされていると判別する。
【００１４】
さらに、請求項３記載の温度調整装置は、請求項１または２記載の温度調整装置において、前記冷凍サイクルは、圧縮能力可変型の前記圧縮機を備えて構成され、前記制御部は、当該温度調整装置の運転開始時に、前記圧縮機を予め規定された第１の圧縮能力で動作させると共に、前記待機時間が経過したときに、前記圧縮機を前記第１の圧縮能力よりも高い第２の圧縮能力で動作させる。
【００１５】
また、請求項４記載の温度調整装置は、請求項１から３のいずれかに記載の温度調整装置において、前記冷凍サイクルは、前記制御部の制御に従って前記凝縮器を冷却する送風機を備え、前記制御部は、当該温度調整装置の運転開始時に、前記送風機を予め規定された第１の回転数で動作させると共に、予め規定された第２の低温時処理開始条件が満たされているか否かを判別し、前記第２の低温時処理開始条件が満たされているときに、前記送風機の回転数を前記第１の回転数よりも低い第２の回転数に低下させる第２の低温時処理を実行する。
【００１６】
さらに、請求項５記載の温度調整装置は、請求項４記載の温度調整装置において、前記圧縮機に吸入される前記冷媒の吸入圧力を特定可能な第１の圧力センサ、および前記圧縮機から吐出された前記冷媒の吐出圧力を特定可能な第２の圧力センサとを備え、前記制御部は、前記第１の圧力センサからのセンサ信号に基づいて特定した前記吸入圧力と前記第２の圧力センサからのセンサ信号に基づいて特定した前記吐出圧力との差が予め規定された圧力を下回っているときに前記第２の低温時処理開始条件が満たされていると判別する。
【発明の効果】
【００１７】
請求項１記載の温度調整装置によれば、制御部が、圧縮機の動作を開始させてから予め規定された待機時間が経過したときに予め規定された第１の低温時処理開始条件が満たされているか否かを判別し、満たされているときに、開閉弁を開口制御して圧縮機から吐出された冷媒を、バイパス配管を介して蒸発器に流入させる第１の低温時処理を実行することにより、極低温の環境下において、待機時間中の動作によって圧縮機から吐出される冷媒の温度がある程度上昇した時点において開閉弁が開口制御されるため、十分に温度上昇していない冷媒がバイパス配管を介して蒸発器に流入させられて冷凍サイクル内の冷媒温度が殆ど上昇しない事態を生じさせることなく、開閉弁が開口制御された後に、バイパス配管を介して蒸発器に流入させる冷媒の分だけ凝縮器および膨張弁を通過して蒸発器内に吐出される冷媒の量を好適に減少させることができる結果、冷凍サイクル内の冷媒の温度を短時間で上昇させて多くの冷媒を効率よく気化させることができる。これにより、液化した状態の冷媒が圧縮機に吸引される事態を好適に回避することができるため、圧縮機において潤滑不良が生じる事態を好適に回避することができる。
【００１８】
また、請求項２記載の温度調整装置によれば、制御部が、圧縮機に吸入される冷媒の温度が予め規定された温度を下回っているときに第１の低温時処理開始条件が満たされていると判別することにより、冷媒圧縮による温度上昇の影響が最も小さい吸入温度に基づいて、開閉弁を開口制御すべきか否かを判別することができるため、比較的簡易な構成であるにも拘わらず、第１の低温時処理を実行すべきか否かを的確に判別することができる結果、周囲温度がある程度高いときには開閉弁を閉塞状態に維持し、周囲温度が極低温のときには開閉弁を開口状態に制御する処理を確実に実行することができる。
【００１９】
さらに、請求項３記載の温度調整装置によれば、制御部が、温度調整装置の運転開始時に、圧縮機を予め規定された第１の圧縮能力で動作させると共に、待機時間が経過したときに、圧縮機を第１の圧縮能力よりも高い第２の圧縮能力で動作させることにより、動作開始直後から圧縮機を高速回転させることで液化した状態の冷媒が圧縮機に吸入されるのを回避することができると共に、長時間に亘って停止状態が継続した後の始動時であっても、圧縮機において油膜切れが生じるのを回避することができる。
【００２０】
また、請求項４記載の温度調整装置によれば、制御部が、温度調整装置の運転開始時に、送風機を予め規定された第１の回転数で動作させると共に、予め規定された第２の低温時処理開始条件が満たされているか否かを判別し、満たされているときに、送風機の回転数を第１の回転数よりも低い第２の回転数に低下させる第２の低温時処理を実行することにより、周囲温度が極低温の環境下において凝縮器における冷媒の凝縮量を十分に減少させることができるため、冷凍サイクル内の冷媒の温度を一層短時間で上昇させて多くの冷媒を一層効率よく気化させることができる結果、液化した状態の冷媒が圧縮機に吸引される事態を一層好適に回避することができ、これにより、圧縮機において潤滑不良が生じる事態を一層好適に回避することができる。
【００２１】
さらに、請求項５記載の温度調整装置によれば、制御部が、冷媒の吸入圧力と吐出圧力との差が予め規定された圧力を下回っているときに第２の低温時処理開始条件が満たされていると判別することにより、比較的簡易な構成でありながら、凝縮器における冷媒の凝縮量を低下させるべき状態であるか否かを的確に判別することができる。
【図面の簡単な説明】
【００２２】
【図１】本発明の実施の形態に係る温度調整装置１の構成図である。
【図２】本発明の実施の形態に係る温度調整装置１の制御部９によって実行される動作開始時制御処理２０のフローチャートである。
【発明を実施するための形態】
【００２３】
以下、添付図面を参照して、温度調整装置の実施の形態について説明する。
【００２４】
図１に示す温度調整装置１は、「温度調整装置」の一例である循環型の温度調整装置（チラー）であって、貯液槽２、冷凍サイクル３、ポンプ４、熱交換器５、圧力センサ６、温度センサ７、タッチパネル８および制御部９を備え、後述するように熱交換器５によって温度調整した冷却水Ｗを供給対象Ｘに供給することで供給対象Ｘの温度を調整することができるように構成されている。なお、本例の温度調整装置１では、「熱媒液」の一例である冷却水Ｗとして工業用蒸留水を供給対象Ｘに供給可能に構成されているが、工業用蒸留水に代えて、上水道水やエチレングリコール等の各種の液体を「熱媒液」として供給する構成を採用することもできる。
【００２５】
貯液槽２は、一例として、ステンレススチール等の板材を折り曲げ加工することによって冷却水Ｗを貯液可能な箱状に形成されると共に、図示しない筐体内に設置されている。この場合、本例の温度調整装置１では、一例として貯液槽２の上にポンプ４が取り付けられており、ポンプ４が吸水管Ｐ０を介して貯液槽２内の冷却水Ｗを汲み上げて配管Ｐ１を介して供給対象Ｘに圧送する（供給する）構成（吸水管Ｐ０および配管Ｐ１が相まって供給対象Ｘに冷却水Ｗを供給する「供給用配管」が構成されている例）が採用されている。また、貯液槽２には、供給対象Ｘに供給した冷却水Ｗを回収して貯液するための配管Ｐ２（供給対象Ｘから冷却水Ｗを回収する「回収用配管」）が接続されている。なお、この貯液槽２には、新たな冷却水Ｗを吸水するための吸水管や、貯液量に応じて吸水管を開閉するフロート弁等が配設されているが、温度調整装置１の構成に関する理解を容易とするために、それらについての図示および説明を省略する。
【００２６】
冷凍サイクル３は、圧縮機１１、凝縮器１２、膨張弁１３、蒸発器１４およびファン１５を備えている。この場合、本例の冷凍サイクル３における圧縮機１１は、インバータユニット１１ａから供給される電力の周波数に応じた回転速で回転するモータ（回転数可変型のモータ）を動力源として備えて冷媒の圧縮能力を変化させることができるように構成されている（「圧縮能力可変型の圧縮機」を備えた冷凍サイクルの一例）。また、本例の温度調整装置１では、一例として、インバータユニット１１ａが圧縮機１１に対して２０ｚ〜６０Ｈｚの範囲内で制御部９によって指定された周波数の電力を供給することができるように構成されている。
【００２７】
また、本例の温度調整装置１（冷凍サイクル３）では、前述した筐体の側面に凝縮器１２が取り付けられると共に筐体の天面にファン１５（「送風機」の一例）が取り付けられている。これにより、この温度調整装置１では、ファン１５によって筐体内の空気を排気することで筐体の周囲の空気が筐体内に取り込まれ、この際に、取り込まれる空気が凝縮器１２を通過させられることによって凝縮器１２（凝縮器１２内の冷媒）が冷却される。この場合、本例の冷凍サイクル３におけるファン１５は、インバータユニット１５ａから供給される電力の周波数に応じた回転速で回転するモータ（回転数可変型のモータ）を動力源として備えて凝縮器１２の冷却能力（すなわち、凝縮器１２による冷媒の凝縮能力）を変化させることができるように構成されている。また、本例の温度調整装置１では、一例として、インバータユニット１５ａがファン１５に対して１Ｈｚ〜６０Ｈｚの範囲内で制御部９によって指定された周波数の電力を供給することができるように構成されている。
【００２８】
さらに、この冷凍サイクル３では、一例として電子膨張弁で膨張弁１３が構成されている。また、この冷凍サイクル３では、後述するように、蒸発器１４が熱交換器５内に構成されている。さらに、冷凍サイクル３は、圧縮機１１から吐出された冷媒を、凝縮器１２および膨張弁１３を通過させずに熱交換器５内の蒸発器１４に流入させるバイパス配管１６（「バイパス配管」の一例）と、制御部９の制御に従ってバイパス配管１６を開閉する制御弁１７（「開閉弁」の一例）とを備えている。この場合、本例の冷凍サイクル３では、バイパス配管１６を通過する冷媒の量を任意に調整可能な電子膨張弁で上記の制御弁１７が構成されている。
【００２９】
また、冷凍サイクル３は、温度センサ１８および圧力センサ１９ａ，１９ｂを備えている。この場合、温度センサ１８は、「温度センサ」に相当し、圧縮機１１に吸入される冷媒の温度を特定可能なセンサ信号Ｓ１８を出力する。また、圧力センサ１９ａは、「第１の圧力センサ」に相当し、圧縮機１１に吸入される冷媒の圧力（吸入圧力）を特定可能なセンサ信号Ｓ１９ａを出力する。さらに、圧力センサ１９ｂは、「第２の圧力センサ」に相当し、圧縮機１１から吐出された冷媒の圧力（吐出圧力）を特定可能なセンサ信号Ｓ１９ｂを出力する。なお、冷凍サイクル３の動作原理についての理解を容易とするために、冷凍サイクル３における上記の各構成要素以外の構成要素についての図示および詳細な説明を省略する。
【００３０】
ポンプ４は、前述したように貯液槽２内の冷却水Ｗを供給対象Ｘに圧送する。この場合、貯液槽２が吸水管Ｐ０および配管Ｐ１，Ｐ２を介して供給対象Ｘに接続されている本例の温度調整装置１では、ポンプ４が配管Ｐ１を介して供給対象Ｘに冷却水Ｗを供給する圧力によって供給対象Ｘから配管Ｐ２を介して冷却水Ｗが貯液槽２に回収される。
【００３１】
熱交換器５は、「温度調整器」の一例であって、前述したように、その内部に冷凍サイクル３の蒸発器１４が構成されると共に、冷却水Ｗの通過が可能に構成されて配管Ｐ１に配設されている。この場合、本例の温度調整装置１では、熱交換器５が配管Ｐ１におけるポンプ４と供給対象Ｘとの間に配設されている。この熱交換器５は、冷凍サイクル３の膨張弁１３を通過させられて蒸発器１４内に吐出される冷媒と、ポンプ４によって圧送される冷却水Ｗとを熱交換させることで、温度調整装置１から供給対象Ｘに向かって圧送される冷却水Ｗの温度を調整する（冷却水Ｗを冷却する）。また、本例の温度調整装置１では、貯液槽２に貯液されている冷却水Ｗ内に埋没するように熱交換器５が貯液槽２内に収容されている。
【００３２】
圧力センサ６は、配管Ｐ１（配管Ｐ１における熱交換器５と供給対象Ｘとの間）に配設されてポンプ４によって配管Ｐ１内を供給対象Ｘに向けて圧送される冷却水Ｗの圧力を検出してセンサ信号Ｓ６を出力する。温度センサ７は、配管Ｐ１（配管Ｐ１における熱交換器５と供給対象Ｘとの間）に配設されてポンプ４によって配管Ｐ１内を供給対象Ｘに向けて圧送される冷却水Ｗの温度を検出してセンサ信号Ｓ７を出力する。タッチパネル８は、図示しない制御パネルに配設されて、温度調整装置１の動作条件を設定する動作条件設定画面、および温度調整装置１の動作状態を表示する動作状態表示画面を表示可能に構成されると共に（図示せず）、動作条件設定画面に表示される疑似操作スイッチのタッチ操作によって動作条件の設定操作が可能に構成されている。
【００３３】
制御部９は、温度調整装置１を総括的に制御する。具体的には、制御部９は、ポンプ４に制御信号Ｓ４を出力して温度調整装置１（貯液槽２）から供給対象Ｘへの冷却水Ｗの供給（圧送）を実行させる。また、制御部９は、インバータユニット１１ａに制御信号Ｓ１１を出力することで圧縮機１１に対して電力を供給させて冷媒の圧縮処理を実行させ、かつ膨張弁１３に制御信号Ｓ１３を出力することで必要量の冷媒を蒸発器１４に吐出させると共に、インバータユニット１５ａに制御信号Ｓ１５を出力することでファン１５に電力を供給させて凝縮器１２を冷却させ、必要量の冷媒を凝縮させる。
【００３４】
この場合、制御部９は、後述するように、温度調整装置１の動作開始時に、図２に示す動作開始時制御処理２０を実行し、温度センサ１８からのセンサ信号Ｓ１８や圧力センサ１９ａ，１９ｂからのセンサ信号Ｓ１９ａ，Ｓ１９ｂに応じて冷凍サイクル３の圧縮機１１やファン１５の動作を制御することにより、周囲温度が−５℃を下回るような極低温の環境下から、周囲温度が５０℃程度の極高温の環境下までの各種の環境下において温度調整装置１（冷凍サイクル３）を好適に始動させる。また、制御部９は、動作開始時制御処理２０の実行中に、例えば温度センサ７からのセンサ信号Ｓ７に基づいて配管Ｐ１内の冷却水Ｗの温度を特定し、特定した温度が設定温度となるように膨張弁１３の開度（蒸発器１４内に吐出させる冷媒の流量）を調整するフィードバック制御を実行する。
【００３５】
さらに、制御部９は、通常運転時（後述する通常運転時制御処理３０の実行時）に、例えば温度センサ７からのセンサ信号Ｓ７に基づいて供給対象Ｘに供給している冷却水Ｗの温度（配管Ｐ１内の冷却水Ｗの温度）を特定し、特定した温度が設定温度となるように、圧縮機１１の回転数（圧縮能力）、膨張弁１３の開度、およびファン１５の回転数（凝縮器１２による冷媒の凝縮量）を調整するフィードバック制御を実行する。
【００３６】
また、制御部９は、ポンプ４によって貯液槽２から供給対象Ｘに冷却水Ｗを圧送させているときに、一例として、圧力センサ６からのセンサ信号Ｓ６に基づいて配管Ｐ１内の冷却水Ｗの圧力を特定し、特定した圧力に応じて、利用者が設定した流量で温度調整装置１から供給対象Ｘに冷却水Ｗが圧送されるようにポンプ４の動作をフィードバック制御する。また、制御部９は、配管Ｐ１内の冷却水Ｗの圧力をタッチパネル８に数値で表示して報知する。
【００３７】
この温度調整装置１による供給対象Ｘの冷却（供給対象Ｘに対する冷却水Ｗの供給）に際しては、図示しない電源スイッチを投入した後に、タッチパネル８の運転開始スイッチ（図示せず）をタッチ操作する。この際に、制御部９は、図２に示す動作開始時制御処理２０を開始する。この動作開始時制御処理２０では、制御部９は、まず、ポンプ４にポンプ４に制御信号Ｓ４を出力して冷却水Ｗの圧送を開始させる（ステップ２１）。次いで、制御部９は、後述するステップ２２ａ以降の各処理と、ステップ２２ｂ以降の各処理とを並行して実行する。なお、動作開始時制御処理２０の具体的な内容についての理解を容易とするために、以下、ステップ２２ａ以降の各処理について説明した後に、ステップ２２ｂ以降の各処理について説明する。
【００３８】
具体的には、制御部９は、まず、インバータユニット１１ａに制御信号Ｓ１１を出力して圧縮機１１の低速運転を開始させると共に（ステップ２２ａ）、制御弁１７に制御信号Ｓ１７を出力してバイパス配管１６を閉塞させる（「閉塞制御」の実行：ステップ２３ａ）。この際に、インバータユニット１１ａは、制御部９からの制御信号Ｓ１１に従い、一例として２０Ｈｚ程度の電力を圧縮機１１に供給する。これに伴い、圧縮機１１が例えば１２００ｒｐｍ程度の低速での運転を開始する（「第１の圧縮能力」での動作の一例）。これにより、圧縮機１１によって圧縮されることで温度および圧力が上昇した冷媒が圧縮機１１から吐出され、冷凍サイクル３内の冷媒温度（主として、圧縮機１１から吐出される冷媒の温度）が徐々に上昇する。
【００３９】
次いで、制御部９は、上記のステップ２２ａにおいて圧縮機１１の動作を開始させてから予め規定された「待機時間（一例として、６０秒）」が経過したか否かを判別する（ステップ２４ａ）。なお、この「待機時間」は、一例として、温度調整装置１の製造者によって予め規定されている。また、制御部９は、設定された「待機時間」が経過したときに、インバータユニット１１ａに制御信号Ｓ１１を出力することによって圧縮機１１の中速運転を開始させる（ステップ２５ａ）。この際に、インバータユニット１１ａは、制御部９からの制御信号Ｓ１１に従い、一例として５０Ｈｚ程度の電力を圧縮機１１に供給する。これに伴い、圧縮機１１が例えば３０００ｒｐｍ程度の中速での運転を開始する（「第２の圧縮能力」での動作の一例）。
【００４０】
この場合、前述したように、周囲温度が−５℃を下回る極低温の環境下においては、冷凍サイクル３内の冷媒の多くが液化した状態となっている。したがって、そのような状態において温度調整装置１の動作開始時点から圧縮機１１を高速運転（高い圧縮能力）で運転させたときには、冷凍サイクル３内における冷媒の移動に伴って液状の冷媒が圧縮機１１に吸引され、前述したように、圧縮機１１において潤滑不良が生じるおそれがある。また、温度調整装置１（圧縮機１１）を長時間に亘って停止させていたときには、圧縮機１１内の潤滑油が流下して油膜切れが生じ易い状態となっていることがある。したがって、本例の温度調整装置１では、動作開始時点においては前述したように低速で圧縮機１１を運転させ、圧縮機１１による圧縮によって冷媒温度がある程度上昇し、かつ、流下した潤滑油が圧縮機１１内の摺動部における全域に十分に行き渡った時点（「待機時間」が経過した時点）において圧縮機１１の回転数を上昇させることで、圧縮機１１の動作不良（液状の冷媒の吸引や油膜切れの発生）が生じるのを回避する構成が採用されている。
【００４１】
続いて、制御部９は、温度センサ１８からのセンサ信号Ｓ１８に基づき、圧縮機１１に吸入される冷媒の温度（冷媒の吸入温度）を特定すると共に、特定した温度が予め規定された温度（「第１規定温度」：一例として−５℃）を下回っているか否かを判別する（「第１の低温時処理開始条件が満たされているか否か」の判別の一例：ステップ２６ａ）。この際に、温度調整装置１の周囲温度が高い夏期などにおいては、温度調整装置１の動作開始以前から冷凍サイクル３内の冷媒の温度が高い状態であり、さらに、動作開始から上記の「待機時間」が経過するまでの圧縮機１１による圧縮処理によって冷凍サイクル３内の冷媒温度が徐々に上昇させられている。したがって、周囲温度がある程度高いときには、温度センサ１８からのセンサ信号Ｓ１８に基づいて特定した冷媒の吸入温度が規定温度（この例では、−５℃）を超えた状態となるため、制御部９は、この動作開始時制御処理２０を終了して、後述する通常運転時制御処理３０に移行する。
【００４２】
一方、温度調整装置１の周囲温度が低い冬期などにおいては、温度調整装置１の動作開始時点における冷凍サイクル３内の冷媒の温度が低い状態であり、動作開始から上記の「待機時間」が経過するまでの圧縮機１１による圧縮処理では、冷凍サイクル３内の冷媒温度を十分上昇させるのが困難となる。したがって、周囲温度が例えば、−５℃を下回る極低温の環境下においては、温度センサ１８からのセンサ信号Ｓ１８に基づいて特定した冷媒の吸入温度が規定温度（この例では、−５℃）以下となる（「第１の低温時処理開始条件が満たされているとき」の一例である「温度センサからのセンサ信号に基づいて特定した冷媒の温度が予め規定された温度を下回っているとき」との状態の一例）。
【００４３】
この場合、この種の装置に搭載される「圧縮機」は、好適な動作が可能な冷媒圧力範囲が規定されており、規定範囲を外れた冷媒圧力下での動作時には、正常な動作が困難な状態となるおそれがある。また、冷媒圧力が規定範囲を下回る状態のとき、すなわち、周囲温度が極低温のときには、前述したように、冷凍サイクル３内の液状の冷媒の量が多くなっているおそれがある。したがって、センサ信号Ｓ１８に基づいて特定される冷媒の吸入温度が規定温度以下の状態（すなわち、冷媒圧力が規定範囲を下回っている状態）において圧縮機１１による圧縮処理を継続したときには、規定範囲を外れた冷媒圧力下での動作に起因して圧縮機１１に各種のトラブルが生じるおそれがあり、また、液状の冷媒が圧縮機１１に吸入されて潤滑不良を招くおそれもある。
【００４４】
このため、本例の温度調整装置１では、冷媒の吸入温度が規定温度以下のときに、制御部９が、制御弁１７に制御信号Ｓ１７を出力してバイパス配管１６を開口させることにより、圧縮機１１から吐出された冷媒の一部を、バイパス配管１６を介して熱交換器５内の蒸発器１４に流入させる状態に制御した後に（「第１の低温時処理」の一例：ステップ２７ａ）、この動作開始時制御処理２０を終了して、後述する通常運転時制御処理３０に移行する。
【００４５】
この場合、制御弁１７を開口制御した状態では、圧縮機１１によって圧縮されることで圧力および温度が上昇した冷媒の一部が、凝縮器１２および膨張弁１３を通過することなく、蒸発器１４内に直接流入する。したがって、制御弁１７を閉塞状態に制御していたとき（圧縮機１１から吐出された冷媒のすべてが凝縮器１２を通過させられる状態）よりも、圧縮機１１から吐出されて凝縮器１２によって凝縮される冷媒の量が減少する分だけ冷凍サイクル３内の冷媒温度の上昇率が高くなる（冷媒の温度が短時間で上昇する）。
【００４６】
また、前述したように、本例の温度調整装置１（冷凍サイクル３）では、温度センサ７からのセンサ信号Ｓ７に基づいて特定される冷却水Ｗの温度に応じて制御部９が膨張弁１３の開度を調整する構成が採用されている。この場合、周囲温度が極低温の環境下では、温度センサ７からのセンサ信号Ｓ７に基づいて特定される冷却水Ｗの温度も低い状態となっており、制御部９によって膨張弁１３が低開度の状態（凝縮器１２および膨張弁１３を通過して蒸発器１４内に吐出される冷媒の量が少なくなる状態）に制御されている。このため、圧縮機１１から吐出された冷媒の大半が凝縮器１２を通過することなくバイパス配管１６を介して蒸発器１４に流入する結果、比較的短い時間で必要十分な量の冷媒が気化した状態となる。
【００４７】
この場合、周囲温度が極低温の環境下では、温度調整装置１の動作停止状態において冷凍サイクル３内の冷媒の温度が低い状態となっており、これに起因して、冷凍サイクル３内の冷媒圧力が低い状態となっている。したがって、極低温の環境下においては、温度調整装置１（圧縮機１１）の動作開始時点において圧縮機１１による冷媒の圧縮効率が低い状態となっているため、動作開始直後においては、圧縮機１１から吐出される冷媒の温度が低い状態となっている。
【００４８】
このため、本例の動作開始時制御処理２０とは異なり、圧縮機１１による冷媒の圧縮を開始した直後から制御弁１７を開口制御して圧縮機１１から吐出された冷媒を蒸発器１４に流入させたときには、圧縮機１１から吐出される十分に温度上昇していない冷媒が冷凍サイクル３内を循環させられる状態が長時間に亘って継続される結果、冷凍サイクル３内の冷媒温度を短時間で上昇させる（液化した状態の冷媒を短時間で十分に気化させる）のが困難となる。
【００４９】
これに対して、本例の温度調整装置１では、温度調整装置１（圧縮機１１）の動作を開始してから上記の「待機時間」が経過するまで制御弁１７を閉塞状態に制御し、この「待機時間」中の圧縮処理の実行によって冷凍サイクル３内の冷媒の温度がある程度上昇して圧縮機１１による冷媒の圧縮効率がある程度上昇してから制御弁１７を開口制御することにより、「待機時間」を設けることなく制御弁１７を開口制御したときと比較して、冷凍サイクル３内の冷媒温度を短時間で上昇させる（液化した状態の冷媒を短時間で十分に気化させる）構成が採用されている。
【００５０】
一方、前述したように、この動作開始時制御処理２０では、制御部９が、上記のステップ２２ａ〜２７ａの一連の処理と並行してステップ２２ｂ〜２６ｂの各処理を実行する。具体的には、制御部９は、まず、インバータユニット１５ａに制御信号Ｓ１５を出力してファン１５の通常回転数での動作を開始させる（ステップ２２ｂ）。この際に、インバータユニット１５ａは、制御部９からの制御信号Ｓ１５に従い、一例として４７Ｈｚ程度の電力をファン１５に供給する。これに伴い、ファン１５が通常時の回転数（「第１の回転数」の一例：一例として８００ｒｐｍ程度）で動作して筐体内の空気を筐体外に排気する、これにより、新たに筐体内に導入される空気が凝縮器１２を通過させられて凝縮器１２が冷却される。
【００５１】
次いで、制御部９は、温度センサ１８からのセンサ信号Ｓ１８に基づき、圧縮機１１に吸入される冷媒の温度（冷媒の吸入温度）を特定すると共に、特定した温度が予め規定された温度（「第２規定温度」：一例として、０℃）を下回っているか否かを判別する（ステップ２３ｂ）。この際に、温度調整装置１の周囲温度が高い夏期などにおいては、前述したように、温度センサ１８からのセンサ信号Ｓ１８に基づいて特定される冷媒の吸入温度が高い温度となり、規定温度（この例では、０℃）以上となるため、制御部９は、この動作開始時制御処理２０を終了して、後述する通常運転時制御処理３０に移行する。
【００５２】
これに対して、温度調整装置１の周囲温度が低い冬期などにおいては、前述したように、温度センサ１８からのセンサ信号Ｓ１８に基づいて特定される冷媒の吸入温度が低い温度となり、規定温度（この例では、０℃）を下回った状態となる。この際に、制御部９は、まず、圧力センサ１９ａからのセンサ信号Ｓ１９ａに基づいて圧縮機１１に吸入される冷媒の圧力（吸入圧力）を特定すると共に、圧力センサ１９ｂからのセンサ信号Ｓ１９ｂに基づいて圧縮機１１から吐出される冷媒の圧力（吐出圧力）を特定する（ステップ２４ｂ）。次いで、制御部９は、ステップ２４ｂにおいて特定した冷媒の吐出圧力と吸入圧力との差（具体的には、吐出圧力から吸入圧力を差し引いた圧力）が予め規定された圧力（一例として、０．２ＭＰａ）を下回っているか否か（「第２の低温時処理開始条件が満たされているか否か」の判別の一例：ステップ２５ｂ）。
【００５３】
この際に、周囲温度が低いことに起因して温度センサ１８からのセンサ信号Ｓ１８に基づいて特定した冷媒の吸入温度が規定温度以下（この例では、０℃以下）の状態であっても、温度調整装置１の周囲温度が例えば−５℃以上のとき（−５℃を下回る極低温の環境下ではないとき）には、冷凍サイクル３内の液化した状態の冷媒量が過剰に多い状態ではないことに起因して、圧縮機１１による圧縮効率が大きく低下することがないため、圧縮機１１から吐出される冷媒の吐出圧力が十分に高くなる。このため、冷媒の吐出圧力と吸入圧力との差（吐出圧力から吸入圧力を差し引いた値）が規定圧力以上の十分に高い圧力となるため、制御部９は、この動作開始時制御処理２０を終了して、後述する通常運転時制御処理３０に移行する。
【００５４】
これに対して、温度調整装置１の周囲温度が例えば−５℃を下回る極低温の環境下では、圧縮機１１による圧縮効率が大きく低下した状態となっているため、圧縮機１１から吐出される冷媒の吐出圧力が十分に高くなるのにある程度の時間を要する。この結果、冷媒の吐出圧力と吸入圧力との差（吐出圧力から吸入圧力を差し引いた値）が規定圧力を下回った状態となる。したがって、制御部９は、吐出圧力と吸入圧力との差が規定圧力を下回っているときに（「第２の低温時処理開始条件が満たされているとき」の一例である「吸入圧力と吐出圧力との差が予め規定された圧力を下回っているとき」との状態の一例：ステップ２５ｂ）、インバータユニット１５ａに制御信号Ｓ１５を出力してファン１５の回転数を低下させた後に（「第２の低温時処理」：ステップ２６ｂ）、この動作開始時制御処理２０を終了して通常運転時制御処理３０に移行する。
【００５５】
この際に、インバータユニット１５ａは、制御部９からの制御信号Ｓ１５に従い、一例として１Ｈｚ程度の電力をファン１５に供給する。これに伴い、ファン１５が通常時の回転数（「第１の回転数」：この例では、８００ｒｐｍ程度）よりも低い低速運転時の回転数（「第２の回転数」の一例：一例として、２０ｒｐｍ程度）で動作して筐体内の空気を筐体外に排気する。これにより、筐体外に排気される空気の量が、通常回転数でファン１５を動作させていたときよりも減少し、新たに筐体内に導入される空気の量、すなわち、凝縮器１２を通過させられる空気の量が減少する結果、凝縮器１２による冷媒の凝縮量が減少する。
【００５６】
一方、動作開始時制御処理２０における上記のステップ２２ａ以降の各処理、および２２ｂ以降の各処理を完了して（動作開始時制御処理２０を終了して）通常運転時制御処理３０に移行した状態では、ポンプ４によって圧送されている冷却水Ｗと蒸発器１４内の冷媒とが熱交換器５において熱交換させられて冷却水Ｗが設定温度まで冷却された後に配管Ｐ１を介して供給対象Ｘに圧送される。この結果、熱交換器５において冷却された低温の冷却水Ｗによって供給対象Ｘが冷却される。また、供給対象Ｘを冷却することで温度上昇させられた冷却水Ｗは配管Ｐ２を介して貯液槽２に回収されて貯留される。さらに、制御部９は、予め設定された温度で、かつ予め設定された流量の冷却水Ｗが供給対象Ｘに供給されるように、一例として、圧力センサ６からのセンサ信号Ｓ６、および温度センサ７からのセンサ信号Ｓ７に基づくフィードバック制御を実行する。
【００５７】
具体的には、冷却水Ｗの温度に関しては、まず、温度センサ７からのセンサ信号Ｓ７に基づき、温度調整装置１から供給対象Ｘに供給している冷却水Ｗの温度（配管Ｐ１内の冷却水Ｗの温度）を特定する。次いで、制御部９は、圧縮機１１による冷媒の圧縮量、膨張弁１３から蒸発器１４内への冷媒の吐出量、および凝縮器１２における冷媒の凝縮量（ファン１５による送風量）を予め規定された手順に従って変化させることにより、熱交換器５における冷却水Ｗの冷却熱量を調整し、冷却水Ｗの温度を設定温度に調整する。これにより、温度センサ７からのセンサ信号Ｓ７に基づいて特定される冷却水Ｗの温度が設定温度となる。
【００５８】
この場合、極低温の環境下であっても、供給対象Ｘから回収した冷却水Ｗは、供給対象Ｘを冷却することで温度上昇させられるため、通常運転時制御処理３０に移行して供給対象Ｘに対する冷却水Ｗの供給を開始してからある程度の時間が経過したとき（供給対象Ｘから回収した高温の冷却水Ｗが貯液槽２内に貯液されたとき）には、温度センサ７からのセンサ信号Ｓ７に基づいて特定される冷却水Ｗの温度が設定温度よりも高い温度となる。したがって、制御部９は、まず、制御弁１７に対して制御信号Ｓ１７を出力して開度を低下させる（または、閉塞状態にする）ことにより、圧縮機１１からバイパス配管１６を介して蒸発器１４に流入させる冷媒の量を減少させる（または、流入を停止させる）。これにより、熱交換器５において冷却水Ｗを十分に冷却することが可能な状態となり、設定温度まで冷却した冷却水Ｗを供給対象Ｘに供給することが可能となる。
【００５９】
一方、冷却水Ｗの流量に関しては、まず、圧力センサ６からのセンサ信号Ｓ６に基づき、配管Ｐ１内を供給対象Ｘに向かって圧送されている冷却水Ｗの圧力（冷却水供給圧力）を特定する（「圧力特定処理」の実行）。次いで、制御部９は、特定した圧力をタッチパネル８に数値で表示する（「圧力報知処理」の実行）。これにより、利用者に対して温度調整装置１から供給対象Ｘに供給されている冷却水Ｗの圧力を容易に把握させることができる。続いて、制御部９は、上記の「圧力特定処理」によって特定した圧力に応じて、利用者によって設定された流量（温度調整装置１から供給対象Ｘに単位時間あたりに供給すべき冷却水Ｗの量）を維持するためにポンプ４の回転数を微調整する。これにより、設定された流量で温度調整装置１から供給対象Ｘに冷却水Ｗが継続的に供給される。
【００６０】
このように、この温度調整装置１によれば、制御部９が、圧縮機１１の動作を開始させてから予め規定された待機時間が経過したときに（ステップ２４ａ）予め規定された「第１の低温時処理開始条件」が満たされているか否かを判別し（ステップ２６ａ）、満たされているときに、制御弁１７を開口制御して圧縮機１１から吐出された冷媒を、バイパス配管１６を介して蒸発器１４に流入させる「第１の低温時処理」を実行する（ステップ２７ａ）ことにより、極低温の環境下において、「待機時間」中の動作によって圧縮機１１から吐出される冷媒の温度がある程度上昇した時点において制御弁１７が開口制御されるため、十分に温度上昇していない冷媒がバイパス配管１６を介して蒸発器１４に流入させられて冷凍サイクル３内の冷媒温度が殆ど上昇しない事態を生じさせることなく、制御弁１７が開口制御された後に、バイパス配管１６を介して蒸発器１４に流入させる冷媒の分だけ凝縮器１２および膨張弁１３を通過して蒸発器１４内に吐出される冷媒の量を好適に減少させることができる結果、冷凍サイクル３内の冷媒の温度を短時間で上昇させて多くの冷媒を効率よく気化させることができる。これにより、液化した状態の冷媒が圧縮機１１に吸引される事態を好適に回避することができるため、圧縮機１１において潤滑不良が生じる事態を好適に回避することができる。
【００６１】
また、この温度調整装置１によれば、制御部９が、圧縮機１１に吸入される冷媒の温度が予め規定された温度を下回っているときに「第１の低温時処理開始条件」が満たされていると判別する（ステップ２６ａ）ことにより、冷媒圧縮による温度上昇の影響が最も小さい吸入温度に基づいて、制御弁１７を開口制御すべきか否かを判別することができるため、比較的簡易な構成であるにも拘わらず、「第１の低温時処理」を実行すべきか否かを的確に判別することができる結果、周囲温度がある程度高いときには制御弁１７を閉塞状態に維持し、周囲温度が極低温のときには制御弁１７を開口状態に制御する処理を確実に実行することができる。
【００６２】
さらに、この温度調整装置１によれば、制御部９が、温度調整装置１の運転開始時に、圧縮機１１を予め規定された「第１の圧縮能力」で動作させると共に（ステップ２２ａ）、待機時間が経過したときに、圧縮機１１を「第１の圧縮能力」よりも高い「第２の圧縮能力」で動作させる（ステップ２５ａ）ことにより、動作開始直後から圧縮機１１を高速回転させることで液化した状態の冷媒が圧縮機１１に吸入されるのを回避することができると共に、長時間に亘って停止状態が継続した後の始動時であっても、圧縮機１１において油膜切れが生じるのを回避することができる。
【００６３】
また、この温度調整装置１によれば、制御部９が、温度調整装置１の運転開始時に、ファン１５を予め規定された「第１の回転数」で動作させると共に（ステップ２２ｂ）、予め規定された「第２の低温時処理開始条件」が満たされているか否かを判別し（ステップ２３ｂ〜２５ｂ）、満たされているときに、ファン１５の回転数を「第１の回転数」よりも低い「第２の回転数」に低下させる「第２の低温時処理」を実行する（ステップ２６ｂ）ことにより、周囲温度が極低温の環境下において凝縮器１２における冷媒の凝縮量を十分に減少させることができるため、冷凍サイクル３内の冷媒の温度を一層短時間で上昇させて多くの冷媒を一層効率よく気化させることができる結果、液化した状態の冷媒が圧縮機１１に吸引される事態を一層好適に回避することができ、これにより、圧縮機１１において潤滑不良が生じる事態を一層好適に回避することができる。
【００６４】
さらに、この温度調整装置１によれば、制御部９が、冷媒の吸入圧力と吐出圧力との差が予め規定された圧力を下回っているときに「第２の低温時処理開始条件」が満たされていると判別する（ステップ２５ｂ）ことにより、比較的簡易な構成でありながら、凝縮器１２における冷媒の凝縮量を低下させるべき状態であるか否かを的確に判別することができる。
【００６５】
なお、「温度調整装置」の構成は、上記の温度調整装置１の構成に限定されるものではない。例えば、温度センサ１８からのセンサ信号Ｓ１８に基づいて特定した冷媒の温度（圧縮機１１に吸入される冷媒の温度：吸入温度）が予め規定された温度を下回っているときに「第１の低温時処理開始条件」が満たされていると判別して「第１の低温時処理」を実行する構成の温度調整装置１を例に挙げて説明したが、「第１の低温時処理開始条件」は上記の例に限定されず、圧縮機１１から吐出された冷媒の温度（吐出温度）や、凝縮器１２によって凝縮された冷媒の温度（凝縮温度）などの各種の冷媒温度が予め規定された温度を下回っているときに「第１の低温時処理開始条件」が満たされていると判別する構成を採用することができる。
【００６６】
また、冷媒の吸入圧力、吐出圧力、および吸入圧力と吐出圧力との差などの各種の冷媒圧力が予め規定された圧力を下回っているときに「第１の低温時処理開始条件」が満たされていると判別する構成を採用することもできる。さらに、冷媒温度や冷媒圧力に限らず、冷却水Ｗの温度、温度調整装置１の周囲の空気の温度、および筐体内の空気の温度などが予め規定された温度を下回っているときに「第１の低温時処理開始条件」が満たされていると判別する構成を採用することもできる。
【００６７】
また、圧力センサ１９ａからのセンサ信号Ｓ１９ａに基づいて特定した吸入圧力と圧力センサ１９ｂからのセンサ信号Ｓ１９ｂに基づいて特定した吐出圧力との差が予め規定された圧力を下回っているときに「第２の低温時処理開始条件」が満たされていると判別して「第２の低温時処理」を実行する構成の温度調整装置１を例に挙げて説明したが、「第２の低温時処理開始条件」は上記の例に限定されず、圧力センサ１９ａからのセンサ信号Ｓ１９ａに基づいて特定した吸入圧力が予め規定された圧力を下回っているときに「第２の低温時処理開始条件」が満たされていると判別する構成や、圧力センサ１９ｂからのセンサ信号Ｓ１９ｂに基づいて特定した吐出圧力が予め規定された圧力を下回っているときに「第２の低温時処理開始条件」が満たされていると判別する構成を採用することもできる。
【００６８】
また、吸入温度、吐出温度および凝縮温度などの各種の冷媒温度や、冷却水Ｗの温度、温度調整装置１の周囲の空気の温度、並びに筐体内の空気の温度などが予め規定された温度を下回っているときに「第２の低温時処理開始条件」が満たされていると判別する構成を採用することもできる。
【００６９】
さらに、「第１の低温時処理」および「第２の低温時処理」の双方を並行して実行する構成の温度調整装置１を例に挙げて説明したが、「第１の低温時処理」だけを実行する構成を採用することもできる。また、供給対象Ｘから配管Ｐ２を介して冷却水Ｗを回収する循環型の温度調整装置１を例に挙げて説明したが、「温度調整装置」の構成はこれに限定されず、「供給対象」に対して「熱媒液」を供給するだけの「温度調整装置」（「熱媒液」を回収しない構成）において、「第１の低温時処理」などを実行する構成を採用することもできる。なお、「熱媒液」を回収しない構成を採用する場合には、「貯液槽」（「供給対象」に圧送する「熱媒液」を貯液するための構成要素）を不要とすることもできる。
【符号の説明】
【００７０】
１  温度調整装置
２  貯液槽
３  冷凍サイクル
４  ポンプ
５  熱交換器
６，１９ａ，１９ｂ  圧力センサ
７，１８  温度センサ
９  制御部
１１  圧縮機
１１ａ，１５ａ  インバータユニット
１２  凝縮器
１３  膨張弁
１４  蒸発器
１５  ファン
１６  バイパス配管
１７  制御弁
２０  動作開始時制御処理
３０  通常運転時制御処理
Ｓ４，Ｓ１１，Ｓ１３，Ｓ１５，Ｓ１７  制御信号
Ｓ６，Ｓ７，Ｓ１８，Ｓ１９ａ，Ｓ１９ｂ  センサ信号
Ｗ  冷却水
Ｘ  供給対象
【図１】
2015129598.tif 000003
【図２】
2015129598.tif 000004